Podtech/llm-jp-corpus-v4-ja_patent huggingface dataset:
【手続補正書】
【提出日】平成17年3月22日(2005.3.22)
【手続補正１】
【補正対象書類名】明細書
【補正対象項目名】特許請求の範囲
【補正方法】変更
【補正の内容】
【特許請求の範囲】
【請求項１】
メタノール、エタノールおよび２−プロパノールからなる群より選ばれる少なくとも１種のアルコールと、１，１，１，２，２，３，３，４，４，５，５，６，６−トリデカフルオロヘキサンとを含むことを特徴とするサイクル洗浄用洗浄剤。
【請求項２】
組成比が、アルコール／１，１，１，２，２，３，３，４，４，５，５，６，６−トリデカフルオロヘキサン＝１〜３０／９９〜７０である請求項１に記載のサイクル洗浄用洗浄剤。
【請求項３】
メタノール、エタノールおよび２−プロパノールからなる群より選ばれる少なくとも１種のアルコールと、１，１，１，２，２，３，３，４，４，５，５，６，６−トリデカフルオロヘキサンとを含む洗浄剤を用いて、冷却システム内またはヒートポンプシステム内の作動媒体が循環する系の内部を洗浄する洗浄方法。
【請求項４】
上記作動媒体が循環する系の内部に付着する潤滑剤を洗浄、除去する請求項３に記載の洗浄方法。
【請求項５】
上記潤滑剤がポリオールのアルカン酸エステルまたはポリアルキルビニルエーテルである請求項４に記載の洗浄方法。
【手続補正２】
【補正対象書類名】明細書
【補正対象項目名】００１１
【補正方法】変更
【補正の内容】
【００１１】
【課題を解決するための手段】
本発明は、メタノール、エタノールおよび２−プロパノールからなる群より選ばれる少なくとも１種のアルコールと、１，１，１，２，２，３，３，４，４，５，５，６，６−トリデカフルオロヘキサン（以下、ＨＦＣ−５２−１３ｐという。）とを含むことを特徴とするサイクル洗浄用洗浄剤を提供する。
【手続補正３】
【補正対象書類名】明細書
【補正対象項目名】００１２
【補正方法】変更
【補正の内容】
【００１２】
本発明は、メタノール、エタノールおよび２−プロパノールからなる群より選ばれる少なくとも１種のアルコールと、ＨＦＣ−５２−１３ｐとを含む洗浄剤を用いて、冷却システム内またはヒートポンプシステム内の作動媒体が循環する系の内部を洗浄する洗浄方法を提供する。
【手続補正書】
【提出日】平成17年3月28日(2005.3.28)
【手続補正１】
【補正対象書類名】明細書
【補正対象項目名】発明の名称
【補正方法】変更
【補正の内容】
【発明の名称】重質油改質装置
【手続補正２】
【補正対象書類名】明細書
【補正対象項目名】特許請求の範囲
【補正方法】変更
【補正の内容】
【特許請求の範囲】
【請求項１】
超臨界水または亜臨界水により重質油中のバナジウムを分解して改質油を生成する反応器を備えた重質油改質装置において、前記反応器が架台に収納されたユニットであり、該反応器に水と重質油を注入する接続式注入口を有することを特徴とする重質油改質装置。
【請求項２】
水熱反応により重質油を改質し、この改質油に含まれるバナジウムを取り除く重質油改質装置において、１個あるいは複数個の反応器を架台に収納してユニット化し、水と重質油の供給口と改質油の取り出し口が、ユニット系外に接続可能になっていることを特徴とする重質油改質装置。
【請求項３】
請求項１または２に記載の重質油改質装置において、前記架台に支持された複数の前記反応器を並列に連結し、水，重質油を分岐流通する供給管を設置し、分岐された水，重質油を複数の各反応器に設けられた注入口へ接続する構造としたことを特徴とする重質油改質装置。
【請求項４】
請求項１から３のいずれか１つに記載の重質油改質装置を車両に搭載して移動式にしたことを特徴とする重質油改質装置。
【手続補正３】
【補正対象書類名】明細書
【補正対象項目名】０００８
【補正方法】変更
【補正の内容】
【０００８】
請求項１，２の発明は、超臨界水または亜臨界水により重質油を改質する反応器が、移動可能な架台に収納されたユニットであり、水，油の供給口と改質油の取り出し口が、ユニット系外に接続可能になっていることが特徴である。このユニットを単体で使用しても良く、あるいは複数接続して使用しても良く、あらゆる処理油量に対応して、滞留時間を適当な範囲内に保つことが可能である。
【手続補正４】
【補正対象書類名】明細書
【補正対象項目名】０００９
【補正方法】削除
【補正の内容】
【手続補正書】
【提出日】平成17年3月29日(2005.3.29)
【手続補正１】
【補正対象書類名】明細書
【補正対象項目名】特許請求の範囲
【補正方法】変更
【補正の内容】
【特許請求の範囲】
【請求項１】
(A)エポキシモノマー、ビニルエーテルモノマーまたはこれらの混合物より選ばれるカチオン重合性モノマー、
(B)カチオン重合触媒、及び
(C)前記カチオン重合触媒用の溶剤
を含むカチオン重合性接着剤組成物において、前記溶剤が前記カチオン重合触媒の良溶剤と貧溶剤の混合物であることを特徴とするカチオン重合性接着剤組成物。
【請求項２】
請求項１記載のカチオン重合性接着剤組成物と導電性粒子を含む、異方導電性接着剤組成物。
【請求項３】
請求項１記載のカチオン重合性接着剤組成物をセパレータに塗布し、乾燥することによって形成された接着フィルム。
【請求項４】
請求項２記載の異方導電性接着剤組成物をセパレータに塗布し、乾燥することによって形成された異方導電性接着フィルム。
【手続補正書】
【提出日】平成17年1月19日(2005.1.19)
【手続補正１】
【補正対象書類名】明細書
【補正対象項目名】請求項１
【補正方法】変更
【補正の内容】
【請求項１】
一般式（１）
2003292608.tif 000001
（式中、ｍは１〜３の整数を、ｎは１〜６の整数を表し、Ｍは水素原子、アルカリ金属  又はアンモニウムを表わす。ＲはＨ、ＳＯ3Ｈ、Ｆ、低級アルキル基又は低級アルコ  キシ基を表わす。Ａは直接結合、下式（４）、（５）又は（６）の２価の基を、Ｂは  直接結合、下式（７）又は（８）の基を表わす。
2003292608.tif 000002
（式中、Ｒ1及びＲ2は、独立にＨ、低級アルキル基又は低級フルオロアルキル基を  表わす。＃は式（1）のベンゼン環と結合していることを表す。Ｌは直接結合、Ｏ又は  Ｓを表わし、ｍは前記と同じ意味を表す。ｍ1、ｍ2は、それぞれ整数を表し、その  和は１〜３の整数である。＊は-SO-3M+と結合結合していることを表わす。ベンゼン環  は置換されていてもよい。））
で示される繰り返し構造を有することを特徴とする高分子。
【手続補正２】
【補正対象書類名】明細書
【補正対象項目名】０００６
【補正方法】変更
【補正の内容】
【０００６】
【課題を解決するための手段】
すなわち本発明は、一般式（１）
2003292608.tif 000003
（式中、ｍは１〜３の整数を、ｎは１〜６の整数を表し、Ｍは水素原子、アルカリ金属
又はアンモニウムを表わす。ＲはＨ、ＳＯ3Ｈ、Ｆ、低級アルキル基又は低級アルコ
キシ基を表わす。Ａは直接結合、下式（４）、（５）又は（６）の２価の基を、Ｂは直
接結合、下式（７）又は（８）の基を表わす。
【手続補正書】
【提出日】平成16年9月21日(2004.9.21)
【手続補正１】
【補正対象書類名】明細書
【補正対象項目名】００１７
【補正方法】変更
【補正の内容】
【００１７】
水添ブロック共重合体（ａ）の数平均分子量は、軟化剤含有クラムを含有する重合体組成物から得られる成形体の力学特性、成形加工性を優れたものとする観点から、５０，０００〜７００，０００の範囲であるのが好ましく、１００，０００〜５００，０００の範囲であるのがより好ましい。なお、ここで言う数平均分子量とは、ゲルパーミエーションクロマトグラフィー（ＧＰＣ）測定によって求めたポリスチレン換算の分子量である。
【手続補正２】
【補正対象書類名】明細書
【補正対象項目名】００６２
【補正方法】変更
【補正の内容】
【００６２】
比較例２
実施例４において、軟化剤を添加せず、製造例２で得られた水添ブロック共重合体Ｂのシクロヘキサン溶液をそのまま用いて実施例４と同様の条件でスチームストリッピング、脱水および乾燥を行い、含水率０．１質量％の乾燥クラム（以下、これをクラムＢと称する）を得た。得られたクラムＢの嵩密度、細孔全容積、細孔径が０．１〜５．０μｍの範囲の細孔の容積の総和の細孔全容積に対する割合を表２に示す。
【手続補正書】
【提出日】平成16年11月17日(2004.11.17)
【手続補正１】
【補正対象書類名】明細書
【補正対象項目名】発明の名称
【補正方法】変更
【補正の内容】
【発明の名称】重合性組成物および接着剤
【手続補正２】
【補正対象書類名】明細書
【補正対象項目名】特許請求の範囲
【補正方法】変更
【補正の内容】
【特許請求の範囲】
【請求項１】
チオエポキシ基を１分子中に１個以上有する化合物（ａ）と、メルカプト基を１分子中に１個以上有する化合物（ｂ）からなり、前記（ａ）化合物中のチオエポキシ基のモル数をＡ、前記（ｂ）化合物中のメルカプト基のモル数をＢとしたとき、ＡとＢが以下の式（１）で表される範囲で含有されていることを特徴とする、重合性組成物。
０．６≦Ｂ／Ａ≦１．０      （１）
【請求項２】
化合物（ａ）が、式（２）で表されることを特徴とする、請求項１記載の重合性組成物。
【化１】
（式中、Ｒ１〜Ｒ６はそれぞれ炭素数１〜１０の炭化水素基または水素を示す。ｍは０〜６を示す。ｎは０〜４を示す。）
【請求項３】
請求項１ないし２に記載の重合性組成物を含有することを特徴とする、接着剤。
【手続補正書】
【提出日】平成16年9月17日(2004.9.17)
【手続補正１】
【補正対象書類名】明細書
【補正対象項目名】００１３
【補正方法】変更
【補正の内容】
【００１３】
このように構成された蒸着重合装置１を用い、その内部に熱交換器５を配置した状態で、最初に真空排気口４に連なる図外の排気バルブにより真空排気を作動させて装置１の内部圧力を１０―２Ｐａに減圧し、この圧力状態を保ちながら図外の温度制御手段によりその内部を２００℃に加熱してこの状態を保持する。そして、あらかじめ１９０．５℃に加熱した容器内の気体状態のピロメリット酸二無水物（ＰＭＤＡ）を第１ガス導入口２から、また、あらかじめ２００℃に加熱した容器内の気体状態のジアミノ安息香酸（ＤＢＡ）を第２ガス導入口３から同時に導入して、この状態で、熱交換器５の表面で蒸着重合反応を１時間に亘って進行させ、熱交換器５の表面全体に１μｍの膜厚のポリイミド防食膜を均等に被覆する。
【手続補正書】
【提出日】平成16年3月31日(2004.3.31)
【手続補正１】
【補正対象書類名】明細書
【補正対象項目名】特許請求の範囲
【補正方法】変更
【補正の内容】
【特許請求の範囲】
【請求項１】
連続して給送されるシートを所望の切断長に切断する切断部を有するコルゲートマシンのカッタにおいて、連続して給送されるシートを吸引して該カッタの切断部に搬送する上流側シート搬送装置と、該切断部で切断されたシートを吸引して搬送する下流側シート搬送装置と、生産するシートに対応した該シート搬送装置の吸引力を予め設定する制御装置とを有し、少なくともいずれか一方のシート搬送装置の吸引力を、生産するシートに対応する予め設定された吸引力に設定することを特徴とするコルゲートマシンにおけるカッタのシート搬送装置。
【請求項２】
前記制御装置は、生産するシートに対応した複数の吸引力を予め設定する請求項１記載のコルゲートマシンにおけるカッタのシート搬送装置。
【請求項３】
前記吸引力は、生産するシートの紙幅に対応して設定される複数の吸引力からなる請求項２記載のコルゲートマシンにおけるカッタのシート搬送装置。
【請求項４】
前記吸引力は、生産するシートの切断長に対応して設定される複数の吸引力からなる請求項２記載のコルゲートマシンにおけるカッタのシート搬送装置。
【請求項５】
前記吸引力は、生産するシートの紙幅及び切断長に対応して設定される複数の吸引力からなる請求項２記載のコルゲートマシンにおけるカッタのシート搬送装置。
【請求項６】
前記吸引力は、生産速度、段種、シート材質等のいずれか一つ又はこれらの組合せごとに設定される請求項２乃至請求項５記載のコルゲートマシンにおけるカッタのシート搬送装置。
【請求項７】
連続して給送されるシートを所望の切断長に切断する切断部を有するコルゲートマシンのカッタにおいて、連続して給送されるシートを吸引して該カッタの切断部に搬送する上流側シート搬送装置と、該切断部で切断されたシートを吸引して搬送する下流側シート搬送装置と、生産するシートに対応した該シート搬送装置の吸引力を予め設定する制御装置とを有し、上流側シート搬送装置及び下流側シート搬送装置の吸引力を、生産するシートに対応する予め設定された吸引力に設定することを特徴とするコルゲートマシンにおけるカッタのシート搬送装置。
【請求項８】
前記制御装置は、生産するシートに対応した複数の吸引力を予め設定する請求項７記載のコルゲートマシンにおけるカッタのシート搬送装置。
【請求項９】
前記吸引力は、生産するシートの紙幅に対応して設定される複数の吸引力からなる請求項８記載のコルゲートマシンにおけるカッタのシート搬送装置。
【請求項１０】
前記吸引力は、生産するシートの切断長に対応して設定される複数の吸引力からなる請求項８記載のコルゲートマシンにおけるカッタのシート搬送装置。
【請求項１１】
前記吸引力は、生産するシートの紙幅及び切断長に対応して設定される複数の吸引力からなる請求項８記載のコルゲートマシンにおけるカッタのシート搬送装置。
【請求項１２】
前記吸引力は、生産速度、段種、シート材質等のいずれか一つ又はこれらの組合せごとに設定される請求項８乃至請求項１１記載のコルゲートマシンにおけるカッタのシート搬送装置。
【請求項１３】
前記上流側シート搬送装置及び下流側シート搬送装置をそれぞれ異なる吸引力に設定する請求項８乃至請求項１２記載のコルゲートマシンにおけるカッタのシート搬送装置。
【請求項１４】
フレームに上部カッタシリンダと下部カッタシリンダとが給送される段ボールシート給送ラインを挟んで回転可能に軸支されるとともに、該上部カッタシリンダと下部カッタシリンダにはそれぞれ上部カッタナイフと下部カッタナイフが取り付けられた切断装置と、前記上部カッタシリンダと下部カッタシリンダは、カッタの制御装置からの指令を受けてサーボモータを駆動する駆動装置と、上部カッタシリンダと下部カッタシリンダ相反する方向に回転する回転装置と、上部カッタナイフと下部カッタナイフが噛み合って上流側から給送される段ボールシートを切断するとともに、上部カッタシリンダと下部カッタシリンダの上流側と下流側にはそれぞれ給送される段ボールシートを上部カッタシリンダと下部カッタシリンダ間に給送および排出をすることを特徴とするコルゲートマシンにおけるシート搬送装置。
【手続補正書】
【提出日】平成16年5月7日(2004.5.7)
【手続補正１】
【補正対象書類名】明細書
【補正対象項目名】００３８
【補正方法】変更
【補正の内容】
【００３８】
このように、本実施例においては、挟持搬送ローラ対４６による感光材料Ｐの挟持を開放し、感光材料Ｐの先端辺を搬出ローラ対４８のローラ間に当接させ、さらに感光材料Ｐを送り込むことにより、トップレジストによるスキューの補正を行うことができる。この場合、コーナー搬送部１８において、感光材料Ｐの湾曲が最も大きい状態で、すなわち、感光材料Ｐの進路変更特性が高い状態で感光材料Ｐの先端辺を搬出ローラ対４８のローラ間に突き当てることになるので、スキューの補正を極めて容易にできる。
【手続補正２】
【補正対象書類名】明細書
【補正対象項目名】００７１
【補正方法】変更
【補正の内容】
【００７１】
なお、本実施例においては、感光材料Ｐの先端辺のスキュー角度に応じて、第３の実施例の如く、搬出ローラ対４８の回転軸の角度を面方向で回転させてスキューを補正してもよい。
【手続補正３】
【補正対象書類名】明細書
【補正対象項目名】００７４
【補正方法】変更
【補正の内容】
【００７４】
また、上述の第２乃至第５の実施例において、振り分けを行う場合、搬送方向に沿って一列に、例えばフォトインタラプタなどのセンサを２個設け、感光材料Ｐを振り分ける際に、感光材料Ｐの側辺の傾きを検出し、その検出結果に基づいて振り分けおよびスキューの補正をするようにしてもよい。
さらに、上述の実施例において、コーナー搬送部１８が振り分けしか行わない場合には、センサ４２、４３を設ける必要はない。
さらにまた、上述の実施例において、感光材料Ｐの先端辺の傾きを検出するセンサを設けた場合、スキューの補正をするものを選別することができるので、スキューを補正しない場合、スキューをとるローラ対の回転を停止する必要がないので、その分、搬送時間を短縮できる。
【手続補正４】
【補正対象書類名】明細書
【補正対象項目名】００７６
【補正方法】変更
【補正の内容】
【００７６】
【発明の効果】
以上詳細に説明したように本発明によれば、湾曲している状態の感光材料を挟持搬送する挟持搬送手段を設けることにより、例えば挟持搬送手段の下流側にレジストレーション用ローラ対を設け、挟持搬送手段の挟持を開放した状態でシート体をレジストレーション用ローラ対に突き当てることにより、シート体のスキュー補正ができる装置を構成することができる。
また、例えば挟持搬送手段の下流側に、シート体を挟持した状態でシート体の搬送方向と直交する主走査方向に移動可能な搬出手段を設け、挟持搬送手段の挟持を開放した状態で主走査方向に振り分けることにより、シート体を振り分けることができる装置を構成することができる。このようにして、本発明においては、スキューの補正および振り分けの少なくとも一方ができる装置を簡単な構成で提供することができる。
さらに、シート体の搬送路を湾曲させることにより、装置を小型化することができる。
【手続補正書】
【提出日】平成16年3月12日(2004.3.12)
【手続補正１】
【補正対象書類名】明細書
【補正対象項目名】特許請求の範囲
【補正方法】変更
【補正の内容】
【特許請求の範囲】
【請求項１】
画像形成後に装置内で定着ローラから剥離されて搬送されるシートに摺接し、このシートの平面を案内する円曲面を有する摺接ガイドを、シートとの摺接面を含めて数平均分子量（Ｍｎ）１×１０4 〜１×１０8、結晶融点２５０℃以上、２８０〜３８０℃における融点粘度が１×１０3 〜１×１０6 ポイズの範囲の溶融タイプのフルオロカーボン系樹脂を６５〜１００重量％配合した樹脂組成物で射出成形により一体成形して作製することからなる画像形成装置のシート搬送用摺接ガイドの製造方法。
【請求項２】
フルオロカーボン系樹脂を主成分とする樹脂組成物が、フルオロカーボン系樹脂を主成分とし繊維状補強材を添加した樹脂組成物である請求項１記載の画像形成装置のシート搬送用摺接ガイドの製造方法。
【請求項３】
前記繊維状補強材が、繊維径０．０５〜８μｍ、繊維長１〜１００μｍの繊維状補強材である請求項２に記載の画像形成装置のシート搬送用摺接ガイドの製造方法。
【請求項４】
フルオロカーボン系樹脂が、テトラフルオロエチレン−パーフルオロアルキルビニルエーテル共重合体であることを特徴とする請求項１〜３のいずれか１項に記載の画像形成装置のシート搬送用摺接ガイドの製造方法。
【請求項５】
フルオロカーボン系樹脂が、テトラフルオロエチレン−ヘキサフルオロプロピレン共重合体である請求項１〜３のいずれか１項に記載の画像形成装置のシート搬送用摺接ガイドの製造方法。
【請求項６】
フルオロカーボン系樹脂が、テトラフルオロエチレン−エチレン共重合体であることを特徴とする請求項１〜３のいずれか１項に記載の画像形成装置のシート搬送用摺接ガイドの製造方法。
【手続補正書】
【提出日】平成16年10月26日(2004.10.26)
【手続補正１】
【補正対象書類名】明細書
【補正対象項目名】００２６
【補正方法】変更
【補正の内容】
【００２６】
他の可動ブレード５ｂ、５ｃ、５ｄについては、下降位置では各々の上端面７ｂ、７ｃ、７ｄが、図３に示しように前段の固定ブレード６ａ、６ｂ、６ｃの上端面１１ａ、１１ｂ、１１ｃとほぼ連続し、上昇位置では各上端面７ｂ、７ｃ、７ｄが後段の固定ブレード６ｂ、６ｃ、６ｄの上端面１１ｂ、１１ｃ、１１ｄとほぼ連続するように構成する。
【手続補正書】
【提出日】平成17年4月12日(2005.4.12)
【手続補正１】
【補正対象書類名】明細書
【補正対象項目名】０００６
【補正方法】変更
【補正の内容】
【０００６】
しかしながら、従来の給液ノズルでは、給液時に自動閉弁機構の液面検知による閉弁動作が行われた場合、操作者が給液ノズルのノズルレバーを手動操作で開弁操作して給液ノズルの弁機構を半開状態にして少流量による追加給液を行う必要があった。
【手続補正２】
【補正対象書類名】明細書
【補正対象項目名】００１１
【補正方法】変更
【補正の内容】
【００１１】
上記ノズル掛け１５に設けられたノズルスイッチ１５ａは、給液ノズル１３がノズル掛け１５から外されると、オフからオンになり、給液ノズル１３がノズル掛け１５に戻されると、オンからオフに切り換わる。
【手続補正３】
【補正対象書類名】明細書
【補正対象項目名】００３３
【補正方法】変更
【補正の内容】
【００３３】
また、スリーブ７０の大径部７０ａは、コイルバネ７２のバネ力によりＡ方向に押圧されており、油流路３３ｂの液圧による押圧力がコイルバネ７２のバネ力より大きくなったとき、Ｂ方向に移動する。
【手続補正４】
【補正対象書類名】明細書
【補正対象項目名】００５３
【補正方法】変更
【補正の内容】
【００５３】
給液操作前は、給液ノズル１３がノズル掛け１５に掛止されており、ノズルスイッチ１５ａがオフになっている。このとき、給液ノズル１３の弁機構４３は、図４に示されるように、主弁体４１が弁座部材３５の弁座３５ａに当接し、閉弁状態に保持されている。また、副弁体６１ｂも主弁体４１の背面側に形成された副弁座４１ｃに着座して弁部６８が閉弁状態になっている。さらに、弁体４７は、コイルバネ４５に付勢されて油流路３９を遮断している。
【手続補正５】
【補正対象書類名】明細書
【補正対象項目名】００５６
【補正方法】変更
【補正の内容】
【００５６】
このとき、ダイヤフラム７４に設けられた係止部材７５の係止ピン７６が前側シャフト６１、後側シャフト６２、スリーブ７０の凹部６１ｈ，６２ｂ，７０ｃに係合しているので、前側シャフト６１、後側シャフト６２、スリーブ７０は、一体的に結合されている。
【手続補正６】
【補正対象書類名】明細書
【補正対象項目名】００６２
【補正方法】変更
【補正の内容】
【００６２】
そして、上記のように係止解除された前側シャフト６１は、コイルバネ６４のバネ力により閉弁方向（Ａ方向）に摺動して主弁体４１を弁座部材３５の弁座３５ａに当接させる。これで、油流路３３ｂ，３９間は、主弁体４１により遮断されて油液の供給が停止される。
【手続補正７】
【補正対象書類名】明細書
【補正対象項目名】００６３
【補正方法】変更
【補正の内容】
【００６３】
そして、油液の供給が停止されると、流量パルス発信器１９ａから流量パルスが発信されなくなるので、後述の制御装置２５は流量パルスが入力されなくなったことから油液の供給が停止したことを検出し、電磁弁２３を閉弁駆動する。
【手続補正８】
【補正対象書類名】明細書
【補正対象項目名】００６４
【補正方法】変更
【補正の内容】
【００６４】
また、後側シャフト６２は、ノズルレバー４６の開弁状態が保持されているため、開弁方向（Ｂ方向）に移動した状態が保持されていることになり、端部６２ａが弁部９８のシール部材６９から離間している。よって、弁部６８は、開弁状態になり、油流路３３ｂ及び給液ホース１４の残圧は小孔６１ｆ及び連通孔６１ｅを介して油流路３９へ流出する。これにより、油流路３３ｂ及び給液ホース１４の圧力は、減圧される。
【手続補正９】
【補正対象書類名】明細書
【補正対象項目名】００６５
【補正方法】変更
【補正の内容】
【００６５】
次に、油流路３３ｂ及び給液ホース１４間の油液が前側シャフト６１の小孔６１ｆを介して主弁体４１よりも下流側に流出することにより油流路３３ｂ内の液圧が低下すると、給液ノズル１３は図７に示される状態となる。
【手続補正１０】
【補正対象書類名】明細書
【補正対象項目名】００６６
【補正方法】変更
【補正の内容】
【００６６】
そのため、ダイヤフラム室５８の圧力が大気圧に戻ると共に、ダイヤフラム７４がコイルバネ７７のばね力によりＦ方向に復帰する。また、これと共に、スリーブ７０がコイルバネ７２の付勢によりＡ方向に移動する。
【手続補正１１】
【補正対象書類名】明細書
【補正対象項目名】００７３
【補正方法】変更
【補正の内容】
【００７３】
そして、係止ピン７６による係止を解除された前側シャフト６１は、コイルバネ６４のばね力により閉弁方向（Ａ方向）に摺動して副弁体６１ｂを主弁体４１の副弁座４１ｃに当接させて副流路４１ａを閉塞することにより、給液ノズル１３は、図９に示される状態となり、これで、副弁の開弁動作による１回目の追加給液が終了する。
【手続補正書】
【提出日】平成17年7月5日(2005.7.5)
【手続補正１】
【補正対象書類名】明細書
【補正対象項目名】特許請求の範囲
【補正方法】変更
【補正の内容】
【特許請求の範囲】
【請求項１】
商品（２）を吊すための吊り手段（３）と、前記商品（２）の上に包装する袋（４）とからなり、前記袋（４）の下面には商品（２）を手にとって確認するための袋口（９）を有していることを特徴とする商品包装体。
【請求項２】
前記吊り手段（３）は、リング状又はフック状とされ、結束バンド（１０）により商品（２）に取り付けられていることを特徴とする請求項１に記載の商品包装体。
【請求項３】
前記吊り手段（３）は、前記袋（４）の上面の挿通孔（８）から外部に突出されて商品陳列用バー（５）に掛け得るようにされていると共に、前記袋（４）の上面の挿通孔（８）にはテープ（１１）が貼り付けてあることを特徴とする請求項１又は２に記載の商品包装体。
【請求項４】
前記袋（４）の下面は、マジックファスナーにより開閉自在に構成されていることを特徴とする請求項１〜３の何れかに記載の商品包装体。
【手続補正書】
【提出日】平成17年4月7日(2005.4.7)
【手続補正１】
【補正対象書類名】明細書
【補正対象項目名】００１２
【補正方法】変更
【補正の内容】
【００１２】
（２）特開平11-90318号公報
アルミニウムフレークを燐酸基含有樹脂の上に塗装する。アルミニウムフレーク塗膜を改善するために、特殊な塗装を行っている。しかし、この方法は、作業性が悪く、コスト高になり、広い範囲で適用できない。
【手続補正２】
【補正対象書類名】明細書
【補正対象項目名】００１４
【補正方法】変更
【補正の内容】
【００１４】
（４）特開平7-150374号公報
耐食性を付与するために、アルミニウムフレークを腐食防止剤で処理する。腐食防止剤は、イットリウムおよび希土類金属などの水溶性塩などを含む。しかし、このような貴重な金属を使用する複雑な工程を経てアルミニウムフレークが処理されるので、この工程に難があり、またアルミニウムフレークがコスト高になる。
【手続補正書】
【提出日】平成16年3月1日(2004.3.1)
【手続補正１】
【補正対象書類名】明細書
【補正対象項目名】請求項１
【補正方法】変更
【補正の内容】
【請求項１】
高度枝分れポリマーでスプレーされた層状材料を含んでなるスプレーされた材料。
【手続補正書】
【提出日】平成17年2月28日(2005.2.28)
【手続補正１】
【補正対象書類名】明細書
【補正対象項目名】００３２
【補正方法】変更
【補正の内容】
【００３２】
（実験例１）
硝酸ビスマス（Ｂｉ(ＮＯ３)３・５Ｈ２Ｏ）５０ｇ、酸化亜鉛２種微粒品（三井金属鉱業株式会社製、平均粒子経０．２５μｍ）５０ｇ、アセトン１０００ｍｌを混合し、６０分間攪拌混合の後、室温で６時間乾燥させ、硝酸ビスマスで被覆された酸化亜鉛（黄色顔料前駆体）を作製した。次に、黄色顔料前駆体を６００℃で２時間熱処理し、顔料粉体を作製した。
作製した顔料粉体は、バナジン酸ビスマス顔料と比べて彩度の高い美麗な黄色を発色しており、平均粒子径が０．４μｍの粒子径分布の狭い黄色顔料であった。なお、ビスマス含有量は、１５ｍｏｌ％であった。
また、図１のＸ線回折パターンに示されるように、酸化亜鉛上に、β−酸化ビスマスが生じていた。
次いで、作製した黄色顔料２０重量部、無機系アクリル樹脂エマルション（固形分５０％）８０重量部を混合し、ディスパーで１５分攪拌し、塗料を作製した。作製した塗料を標準白紙（９８ｍｍ×１１１ｍｍ）に０．２５ｍｍの厚みで塗付した。乾燥して得られた塗膜の色相を観察したところ、彩度の高い美麗な黄色を発色していた。
【手続補正２】
【補正対象書類名】明細書
【補正対象項目名】００３３
【補正方法】変更
【補正の内容】
【００３３】
（実験例２）
硝酸ビスマス（Ｂｉ(ＮＯ３)３・５Ｈ２Ｏ）の量を７．４ｇにした以外は、実施例１と同様の方法で、顔料粉体を作製した。
作製した顔料粉体は、彩度の高い美麗な黄色を発色しており、平均粒子径が０．３５μｍの粒子径分布の狭い黄色顔料であった。また、酸化亜鉛上に、β−酸化ビスマスが生じていた。
次いで、実施例１と同様の方法で、塗膜を作製し、観察したところ、彩度の高い美麗な黄色を発色していた。
【手続補正３】
【補正対象書類名】明細書
【補正対象項目名】００３４
【補正方法】変更
【補正の内容】
【００３４】
（実験例３）
硝酸ビスマス（Ｂｉ(ＮＯ３)３・５Ｈ２Ｏ）の量を４．９ｇにした以外は、実施例１と同様の方法で、顔料粉体を作製した。
作製した顔料粉体は、彩度の高い美麗な黄色を発色しており、平均粒子径が０．３２μｍの粒子径分布の狭い黄色顔料であった。また、酸化亜鉛上に、β−酸化ビスマスが生じていた。
次いで、実施例１と同様の方法で、塗膜を作製し、観察したところ、彩度の高い美麗な黄色を発色していた。
【手続補正４】
【補正対象書類名】明細書
【補正対象項目名】００３５
【補正方法】変更
【補正の内容】
【００３５】
（実験例４）
硝酸ビスマス（Ｂｉ(ＮＯ３)３・５Ｈ２Ｏ）の量を４００ｇにした以外は、実施例１と同様の方法で、顔料粉体を作製した。
作製した顔料粉体は、美麗なカナリヤイエローを発色していた。
また、図２のＸ線回折パターンに示されるように、酸化亜鉛上に、α−酸化ビスマスが生じていた。
次いで、実施例１と同様の方法で、塗膜を作製し、観察したところ、美麗なカナリヤイエローを発色していた。
【手続補正書】
【提出日】平成17年2月15日(2005.2.15)
【手続補正１】
【補正対象書類名】明細書
【補正対象項目名】０００６
【補正方法】変更
【補正の内容】
【０００６】
【発明の実施の形態】
一般式（１）と（２）の化合物は、好ましくは、下記一般式（３ET）、（３ES）、（４ET）及び（４ES）で表される化合物である。
【化５】
2003292496.tif 000001
（上式中、ｍとｎは独立して３以上の整数を表す。）
なお、ｍ個のメチレン基又はｎ個のメチレン基は、一以上の炭化水素基の側鎖を有していてもよく、側鎖の位置は、合成的にはＸ1又はＸ2に結合する炭素原子からメチレン鎖上を二つ離れた炭素原子以降が好ましい。炭化水素基の大きさは、好ましくは、３〜１５であり、より好ましくは３〜１０の整数である。
【手続補正２】
【補正対象書類名】明細書
【補正対象項目名】００１７
【補正方法】変更
【補正の内容】
【００１７】
一般式（３ES）の化合物は、例えば、二重結合を有するカルボン酸（１０）と、ｏ−ニトロベンジルアルコール誘導体（１１）を反応させエステル（１２）を生成し、該二重結合を塩化白金(IV)酸六水和物(H2PtCl6・6H2O)を触媒として、トリメトキシシランとクロロジメチルシランとジクロロメチルシランとトリクロロシランから選ばれる化合物と反応させることにより得られる。エステルの生成は、例えば、ＷＳＣ・ＨＣｌ［ＷＳＣは水溶性カルボジイミドの略であり、ＷＳＣ・ＨＣｌとしては１−エチル−３−（３−ジメチルアミノプロピル）−カルボジイミドハイドロクロライドが挙げられる。］と、ＤＭＡＰ（４−ジメチルアミノピリジン）の存在下で行われる。また、エステル（１２）は、二重結合を有するカルボン酸（１０）を塩化チオニル（ＳＯＣｌ2）等を用いる公知の方法で酸塩化物とし、ｏ−ニトロベンジルアルコール誘導体（１１）とＤＭＡＰのような第三級アミンの存在下反応させることによって得ることもできる。
一般式（１１）の化合物は、例えば、市販されている４位と５位にアルコキシ基を有する２−ニトロベンズアルデヒドのカルボニル基を水素化ホウ素ナトリウムで還元する等の公知の方法で合成できる。
一般式（４ES）の化合物も同様な方法で合成でき、クロロジメチルシリル基とジクロロメチルシリル基とトリクロロシリル基の導入には、各々対応するクロロジメチルシランとジクロロメチルシランとトリクロロシランを使用することができる。
一般式（３ES）と一般式（４ES）のエステル化合物の製造方法は、これに限らず、公知の方法が利用できる。また、ｎ個のメチレン基が炭化水素基の側鎖を有する一般式（１）のエステル化合物（１ES）と一般式（２）のエステル化合物（２ES）は、対応するアルコールを用いて合成することができる。
【手続補正書】
【提出日】平成16年2月3日(2004.2.3)
【手続補正１】
【補正対象書類名】明細書
【補正対象項目名】請求項１
【補正方法】変更
【補正の内容】
【請求項１】
下記一般式（化１）
【化１】
2003292494.tif 000001
（式中、Ｒ１及びＲ２は、同じであっても異なってもよく、水素原子又はメチル基を表し、Ｒは
【化２】
2003292494.tif 000002
【化３】
2003292494.tif 000003
又は
【化４】
2003292494.tif 000004
（式中、Ｒ’はそれぞれ、同じであっても異なってもよく、下式（化５）
【化５】
2003292494.tif 000005
（式中、Ｒ３、Ｒ４及びＲ５はそれぞれ、同じであっても異なってもよく、水素原子又はアルキル基又はアルコキシ基を表し、Ｒ３、Ｒ４及びＲ５の少なくとも一つが炭素数が６以上であるアルキル基又はアルコキシ基である。）で表される。）の何れかを表し、ＭはＡｕ、Ａｇ又はＣｕの一価イオンを表し、ｎは２〜４の整数を表す。）で表される化合物。
【手続補正２】
【補正対象書類名】明細書
【補正対象項目名】０００４
【補正方法】変更
【補正の内容】
【０００４】
【課題を解決するための手段及び発明の実施の形態】
即ち、本発明は、下記一般式（化１）
【化１】
2003292494.tif 000006
で表される化合物である。
この式（化１）中、Ｒ１及びＲ２は、同じであっても異なってもよく、水素原子又はメチル基を表し、Ｒは
【化２】
2003292494.tif 000007
【化３】
2003292494.tif 000008
又は
【化４】
2003292494.tif 000009
の何れか、好ましくは化２又は化３、より好ましくは化２を表し、ＭはＡｕ、Ａｇ又はＣｕの一価イオンを表し、ｎは２〜４整数、好ましくは３を表す。


【手続補正３】
【補正対象書類名】明細書
【補正対象項目名】０００５
【補正方法】変更
【補正の内容】
【０００５】
また式（化２及び化３）中、Ｒ’はそれぞれ、同じであっても異なってもよく、下式（化５）
【化５】
2003292494.tif 000010
で表される。
式（化５）中、Ｒ３、Ｒ４及びＲ５はそれぞれ、同じであっても異なってもよく、水素原子又はアルキル基若しくはアルコキシ基、好ましくは水素原子又はアルコキシ基を表し、Ｒ３、Ｒ４及びＲ５の少なくとも一つが炭素数が６以上であるアルキル基又はアルコキシ基、好ましくはアルコキシ基である。Ｒ３、Ｒ４及びＲ５はそれぞれ直鎖であることが好ましく、短鎖（炭素数が３以下程度）の側鎖を有していてもよい。
【手続補正書】
【提出日】平成17年3月30日(2005.3.30)
【手続補正１】
【補正対象書類名】明細書
【補正対象項目名】００１０
【補正方法】変更
【補正の内容】
【００１０】
（３）本発明の化粧料の好ましい成分である崩壊性粒子
本発明の化粧料は、崩壊性粒子を好ましい成分として含有することを特徴とする。本発明の化粧料に言う崩壊性粒子とは、僅かな応力で容易に粒子が崩壊する粒子を意味し、僅かな応力としては、２つの指で擦る程度を好ましく例示できる。この様な粒子としては、細かい粒子を、結合剤の存在下造粒して得られる造粒物が好ましく例示できる。造粒物以外としては、緩い結合条件で成型した成型物を粉砕して得られる成型・粉砕物が好ましく例示できる。これらの内では、造粒物が特に好ましく例示できる。造粒は通常の方法に従って行えば良く、例えば、ステアリン酸アルミニウム等の結合剤とともに型に入れて加圧成型する方法、水などの揮発性の媒体とともに混練りし、これを型抜きしたり、押し出し造粒したり、グラッド造粒装置などで、攪拌しながらヒドロキシプロピルメチルセルロースなどの結合剤の水溶液を噴霧する方法などが例示できる。又、それ自身が相互に付着性のある物質で、変形容易な柔らかい物質であれば、結合剤なしで、グラッド造粒して造粒物とすることもできる。柔らかさの指標としては鉛筆硬度でＨで表面に傷が付く程度の柔らかさが好ましい。この様な材料としては、ポリエチレン、シリコーンエラストマー（但し、１気圧、２５℃で固体乃至はゴム状）等が好ましく例示できる。かかる造粒物を作成するための成分としては、前記のポリエチレン、シリコーンエラストマー以外に、アクリル樹脂、ポリプロピレン樹脂、ポリエチレンテレフタレート樹脂などのポリマーや結晶セルロース、乳糖、でんぷんなどが好ましく例示できる。これらの内、好ましいものは、ポリマーの造粒物であり、取り分けポリエチレンの造粒物である。ポリエチレンの造粒物の内では、結合剤を含有しない形態の造粒物が特に好ましい。本発明のゲル状化粧料に於いては、かかる造粒物はスクラブ剤としての機能を有する。かかる機能を発現するためには、前記造粒物から選ばれる１種乃至は２種以上を、化粧料全量に対して総量で５〜３０重量％含有することが好ましく、１０〜２０重量％含有することが更に好ましい。
【手続補正２】
【補正対象書類名】明細書
【補正対象項目名】００１５
【補正方法】変更
【補正の内容】
【００１５】
（４）本発明のゲル状化粧料
本発明のゲル状化粧料は、上記必須の成分と好ましい成分とを含有することを特徴とする。本発明のゲル状化粧料は、スクラブ用の化粧料として好ましい。これは、摩擦係数が小さいにもかかわらず、優れたスクラブ効果を有するからである。本発明の化粧料としては、スクラブ用の化粧料で知られている種類であれば特段の限定無く適用でき、例えば、顔
のスクラブ用の化粧料や身体の皮膚保全、手入れ用のスクラブ用の化粧料などが好ましく例示できる。特に好ましいのはエステティック用の化粧料であり、特にエステティック用の化粧料でも身体に適用されるもの（ボディーケア用）が好ましい。これは、エステティックに於いては、スクラブ作用は心地よいリラクゼーションをその摩擦刺激により発現すると同時に、血流促進により疲労の原因となる老廃物を速やかに脱離させ、新陳代謝を高めることができるからである。この様なスクラブ作用を発現させるスクラブ剤として、前記造粒物を用いることにより、スクラブ作用を発現しながら、刺激発現を抑制できる。本発明の化粧料に於いては、前記必須成分以外に、通常化粧料で使用される任意成分を含有することができる。かかる任意成分としては、例えば、ワセリンやマイクロクリスタリンワックス等のような炭化水素類、ホホバ油やセチルイソオクタネート等のエステル類、オリーブ油等のトリグリセライド類、オクタデシルアルコールやオレイルアルコール等の高級アルコール類、グリセリンや１，３−ブタンジオール、１，２−ペンタンジオール、イソプレングリコール、ジプロピレングリコール等の多価アルコール類、非イオン界面活性剤、アニオン界面活性剤、カチオン界面活性剤、両性界面活性剤、エタノール、カーボポール等の増粘剤、防腐剤、紫外線吸収剤、抗酸化剤類等が例示できる。特に好ましい態様としては、水の含有量が１０重量％以下、更に好ましくは３重量％以下である構成を取ることである。これは前記の必須構成要素である多価アルコールを６０〜９０重量％含有することと相まって発熱剤形を構成する。この様な発熱剤形を取ることにより、塗布時の化粧料による冷感刺激を抑制し、リラクゼーション効果などを高めることができるためである。又、非イオン界面活性剤としては、ポリオキシブテンポリグリセリルアルキルエーテルを使用することが好ましく、ポリオキシエチレン付加型の非イオン界面活性剤は使用しないことが好ましい。これはポリオキシブテンポリグリセリルアルキルエーテルを使用するが、一過性の刺激を感じにくく、より高質なエステティック効果が得られるからである。更に、尿素や乳酸、グリコール酸などのヒドロキシカルボン酸などの皮膚軟化剤を含有することも、古い角質を除去できる点で好ましい。これはスクラブ効果を更に高めることができる。かかる皮膚軟化剤の好ましい含有量は、０．１〜３重量％である。本発明の化粧料は、この様な必須の成分と任意の成分とを常法に従って処理することにより、製造することができる。
【手続補正書】
【提出日】平成16年7月26日(2004.7.26)
【手続補正１】
【補正対象書類名】明細書
【補正対象項目名】０００２
【補正方法】変更
【補正の内容】
【０００２】
【従来の技術】
日本においては古来より、メラニン産生が低く、色が白く保たれていることが大きなメリットであると考える人が多い。この様な消費者の要求に応えるべく、近代的な化粧料においては、メラニンの産生を抑え、肌色を白く保つ方法が検討開発されてきている。
【手続補正書】
【提出日】平成17年9月8日(2005.9.8)
【手続補正１】
【補正対象書類名】明細書
【補正対象項目名】特許請求の範囲
【補正方法】変更
【補正の内容】
【特許請求の範囲】
【請求項１】  熱応答粘膜接着性医薬−担体組成物であって、
カルボキシビニルポリエステル（カルボポールまたはカルボマー）およびセルロース類からなる群から選択される粘膜接着性ポリマー０．５重量％〜２重量％；
低温において溶液状態であり、第一臨界温度後にゲル状態になり、また第二臨界温度よりも高い温度で再度、溶液状態になる２種の臨界温度を有する熱応答性ポリマー１５重量％〜４０重量％；および
残量の水および／または医薬上で許容される賦形剤；
を含有し、上記第一臨界温度が２５℃〜３７℃であり、および上記第二臨界温度が４５℃〜５５℃である、上記医薬−担体組成物。
【請求項２】  熱応答性ポリマーが式：
ＨＯ（Ｃ2Ｈ4Ｏ）a（Ｃ3Ｈ6Ｏ）b（Ｃ2Ｈ4Ｏ）aＨ
（式中、ａ＝８〜２００であり、ｂ＝１４〜８０である）
を有するブロックコポリマーおよびポリエンアミド類ならびにその類縁体からなる群から選択される、請求項１に記載の医薬−担体組成物。
【請求項３】  カルボポール９４１、カルボポール９７１およびＨＰＭＣからなる群から選択される粘膜接着性ポリマー１重量％〜１．５重量％；
ポロキサマーＰＦ１２７およびポリ（Ｎ−イソプロピルアクリルアミド）（ＰＮＩＰＡＡＭ）からなる群から選択される熱応答性ポリマー２０重量％〜３０重量％；および
残量の水および／または医薬上で許容される賦形剤；
を含有する、請求項１に記載の医薬−担体組成物。
【請求項４】  ヒトまたは動物の皮膚または粘膜を経て投与することができる活性化合物または個人医療用薬剤の施用に使用される、請求項１〜３のいずれかに記載の医薬−担体組成物。
【請求項５】  光力学的診断または治療に有用な組成物であって、
５−アミノレブリン酸（ＡＬＡ）またはそのエステル化誘導体から選択される皮膚または粘膜診断または治療用薬剤１０重量％〜３０重量％；
カルボキシビニルポリエステル（カルボポールまたはカルボマー）およびセルロース類からなる群から選択される粘膜接着性ポリマー０．５重量％〜２重量％；
低温において溶液状態であり、第一臨界温度後にゲル状態になり、また第二臨界温度よりも高い温度で再度、溶液状態になる２種の臨界温度を有する熱応答性ポリマー１５重量％〜４０重量％；および
残量の水および／または医薬上で許容される賦形剤；
を含有し、上記第一臨界温度が２５℃〜３７℃であり、および上記第二臨界温度が４５℃〜５５℃であって、当該組成物のｐＨ値が２〜４である、上記組成物。
【請求項６】  ５−アミノレブリン酸（ＡＬＡ）またはそのエステル化誘導体から選択される皮膚または粘膜診断または治療用薬剤１０重量％〜３０重量％；
カルボポール９４１、カルボポール９７１ＰおよびＨＰＭＣからなる群から選択される粘膜接着性ポリマー１重量％〜１．５重量％；
ポロキサマーＰＦ１２７およびポリ（Ｎ−イソプロピルアクリルアミド）（ＰＮＩＰＡＡＭ）からなる群から選択される熱応答性ポリマー２０重量％〜３０重量％；および
残量の水および／または医薬上で許容される賦形剤；
を含有し、当該組成物のｐＨ値が２〜４である、請求項５に記載の組成物。
【請求項７】  診断または治療を進行させるために、連続性広域照射線、ＬＥＤまたはレーザーからの光源と組合せて使用される、請求項５に記載の組成物。
【請求項８】  診断または治療を進行させるために、連続性広域照射線、ＬＥＤまたはレーザーからの光源と組合せて使用される、請求項６に記載の組成物。
【手続補正書】
【提出日】平成17年3月31日(2005.3.31)
【手続補正１】
【補正対象書類名】明細書
【補正対象項目名】００１６
【補正方法】変更
【補正の内容】
【００１６】
本明細書における「放射線増強作用」とは、放射線により誘発される種々の効果、例えば、放射線により誘発されるアポトーシス又はネクローシス等を増強する作用を意味する。前記放射線としては、放射線治療（特には、癌の放射線治療）に一般的に用いられる放射線、例えば、Ｘ線、γ線、陽子線、中性子線、又は重粒子線を挙げることができる。
【手続補正２】
【補正対象書類名】明細書
【補正対象項目名】図１６
【補正方法】変更
【補正の内容】
【図１６】
６ＦＰ共存下又は不在下におけるＸ線照射から３時間経過後の細胞における、ＦＩＴＣ標識した抗Ｆａｓ抗体と反応して蛍光を示す細胞の割合を示すグラフである。
【手続補正書】
【提出日】平成17年2月25日(2005.2.25)
【手続補正１】
【補正対象書類名】明細書
【補正対象項目名】発明の名称
【補正方法】変更
【補正の内容】
【発明の名称】レジスト材料及びパターン形成方法
【手続補正２】
【補正対象書類名】明細書
【補正対象項目名】特許請求の範囲
【補正方法】変更
【補正の内容】
【特許請求の範囲】
【請求項１】
下記一般式（１ａ）及び（１ｂ）で表される繰り返し単位を含む重量平均分子量１，０００〜５００，０００の高分子化合物を含むことを特徴とするレジスト材料。
【化１】
2003292547.tif 000001
（式中、Ｒ1はフッ素原子、又は炭素数１〜２０の直鎖状、分岐状もしくは環状のアルキル基又はフッ素化されたアルキル基である。Ｒ2a及びＲ2bは水素原子又は−Ｒ3−ＣＯ2Ｒ4であり、Ｒ2a及びＲ2bのうち少なくとも一方は−Ｒ3−ＣＯ2Ｒ4を含有する。Ｒ3は炭素数１〜１０の直鎖状、分岐状もしくは環状のアルキレン基又はフッ素化されたアルキレン基である。Ｒ4は水素原子、酸不安定基、密着性基、又は炭素数１〜２０の直鎖状、分岐状もしくは環状のアルキル基又はフッ素化されたアルキル基である。）
【請求項２】
（Ａ）請求項１に記載の高分子化合物、
（Ｂ）有機溶剤、
（Ｃ）酸発生剤
を含有することを特徴とする化学増幅ポジ型レジスト材料。
【請求項３】
更に、塩基性化合物を含有する請求項２記載のレジスト材料。
【請求項４】
更に、溶解阻止剤を含有する請求項２又は３記載のレジスト材料。
【請求項５】
（１）請求項１乃至４のいずれか１項に記載のレジスト材料を基板上に塗布する工程と、
（２）次いで加熱処理後、フォトマスクを介して波長１００〜１８０ｎｍ帯又は１〜３０ｎｍ帯の高エネルギー線で露光する工程と、
（３）必要に応じて加熱処理した後、現像液を用いて現像する工程と
を含むこと
を特徴とするパターン形成方法。
【請求項６】
基板上に塗布したレジスト膜の膜厚が０．２μｍ以上であることを特徴とする請求項５記載のパターン形成方法。
【請求項７】
前記高エネルギー線がＦ2レーザー、Ａｒ2レーザー、又は軟Ｘ線であることを特徴とする請求項５記載のパターン形成方法。
【手続補正３】
【補正対象書類名】明細書
【補正対象項目名】０００１
【補正方法】変更
【補正の内容】
【０００１】
【発明の属する技術分野】
本発明は、微細加工技術に適したレジスト材料、特に化学増幅レジスト材料及びこれを用いたパターン形成方法に関する。
【手続補正４】
【補正対象書類名】明細書
【補正対象項目名】０００８
【補正方法】変更
【補正の内容】
【０００８】
本発明は上記事情に鑑みなされたものであり、３００ｎｍ以下、特にＦ2（１５７ｎｍ）、Ｋｒ2（１４６ｎｍ）、ＫｒＡｒ（１３４ｎｍ）、Ａｒ2（１２６ｎｍ）等の真空紫外光における透過率に優れたレジスト材料、特に化学増幅レジスト材料及びこれを用いたパターン形成方法を提供することを目的にする。
【手続補正５】
【補正対象書類名】明細書
【補正対象項目名】０００９
【補正方法】変更
【補正の内容】
【０００９】
【課題を解決するための手段及び発明の実施の形態】
本発明者は上記目的を達成するため鋭意検討を重ねた結果、先述の高透明ポリマーのアルコール性水酸基の一部をカルボン酸エステルに置換した高分子化合物をベースポリマーとして用いることにより、透明性の低下を必要最小限に抑えつつ、過露光部領域での溶解速度を向上させることが可能であることを知見し、本発明に至ったものである。
【手続補正６】
【補正対象書類名】明細書
【補正対象項目名】００１０
【補正方法】変更
【補正の内容】
【００１０】
即ち、本発明は下記のレジスト材料及びパターン形成方法を提供する。
請求項１：
下記一般式（１ａ）及び（１ｂ）で表される繰り返し単位を含む重量平均分子量１，０００〜５００，０００の高分子化合物を含むことを特徴とするレジスト材料。
【化２】
2003292547.tif 000002
（式中、Ｒ1はフッ素原子、又は炭素数１〜２０の直鎖状、分岐状もしくは環状のアルキル基又はフッ素化されたアルキル基である。Ｒ2a及びＲ2bは水素原子又は−Ｒ3−ＣＯ2Ｒ4であり、Ｒ2a及びＲ2bのうち少なくとも一方は−Ｒ3−ＣＯ2Ｒ4を含有する。Ｒ3は炭素数１〜１０の直鎖状、分岐状もしくは環状のアルキレン基又はフッ素化されたアルキレン基である。Ｒ4は水素原子、酸不安定基、密着性基、又は炭素数１〜２０の直鎖状、分岐状もしくは環状のアルキル基又はフッ素化されたアルキル基である。）
請求項２：
（Ａ）請求項１に記載の高分子化合物、
（Ｂ）有機溶剤、
（Ｃ）酸発生剤
を含有することを特徴とする化学増幅ポジ型レジスト材料。
請求項３：
更に、塩基性化合物を含有する請求項２記載のレジスト材料。
請求項４：
更に、溶解阻止剤を含有する請求項２又は３記載のレジスト材料。
請求項５：
（１）請求項１乃至４のいずれか１項に記載のレジスト材料を基板上に塗布する工程と、
（２）次いで加熱処理後、フォトマスクを介して波長１００〜１８０ｎｍ帯又は１〜３０ｎｍ帯の高エネルギー線で露光する工程と、
（３）必要に応じて加熱処理した後、現像液を用いて現像する工程と
を含むこと
を特徴とするパターン形成方法。
請求項６：
基板上に塗布したレジスト膜の膜厚が０．２μｍ以上であることを特徴とする請求項５記載のパターン形成方法。
請求項７：
前記高エネルギー線がＦ2レーザー、Ａｒ2レーザー、又は軟Ｘ線であることを特徴とする請求項５記載のパターン形成方法。
【手続補正書】
【提出日】平成17年3月29日(2005.3.29)
【手続補正１】
【補正対象書類名】明細書
【補正対象項目名】特許請求の範囲
【補正方法】変更
【補正の内容】
【特許請求の範囲】
【請求項１】
一般式（１）で表わされる単量体単位５〜９５質量％、メタクリル酸メチル単位５〜９５重量％およびメタクリル酸メチル単位以外の共重合可能な他の単量体単位０〜２５質量％とからなるポリ（メタ）アクリル系共重合体。
【化１】
2003292543.tif 000001
（式中、Ｒは水素原子またはメチル基を表す。）
【請求項２】
請求項１記載のポリ（メタ）アクリル系共重合体からなる成形体。
【請求項３】
請求項１記載のポリ（メタ）アクリル系共重合体からなる光学用透明部材。
【請求項４】
請求項１記載のポリ（メタ）アクリル系共重合体からなるレンズ。
【手続補正２】
【補正対象書類名】明細書
【補正対象項目名】０００６
【補正方法】変更
【補正の内容】
【０００６】
すなわち、本発明は、
一般式（１）で表わされる単量体単位５〜９５質量％、メタクリル酸メチル単位５〜９５重量％およびメタクリル酸メチル単位以外の共重合可能な他の単量体単位０〜２５質量％とからなるポリ（メタ）アクリル系共重合体を提供するものである。
【化２】
2003292543.tif 000002
（式中、Ｒは水素原子またはメチル基を表す。）
以下、本発明を詳細に説明する。
【手続補正書】
【提出日】平成17年1月18日(2005.1.18)
【手続補正１】
【補正対象書類名】明細書
【補正対象項目名】特許請求の範囲
【補正方法】変更
【補正の内容】
【特許請求の範囲】
【請求項１】
エポキシジ（メタ）アクリレート（ａ１）およびジイソシアネート化合物（ａ２）を反応させて得られる化合物（Ａ）と、無機微粒子（ｂ１）および有機シラン化合物の加水分解生成物（ｂ２）を縮合反応して得られる有機被覆無機微粒子（Ｂ）とを含んで成る活性エネルギー線硬化性組成物。
【請求項２】
エポキシジ（メタ）アクリレート（ａ１）に含有される不純物のうち、分子内に３個以上の水酸基を含有する化合物の含有量が５質量％未満である請求項１記載の活性エネルギー線硬化性組成物。
【請求項３】
エポキシジ（メタ）アクリレート（ａ１）が、ビスフェノール型エポキシジ（メタ）アクリレートである請求項１または２記載の活性エネルギー線硬化性組成物。
【請求項４】
ジイソシアネート化合物（ａ２）が、環状骨格含有ジイソシアネート化合物である請求項１〜３の何れか一項記載の活性エネルギー線硬化性組成物。
【請求項５】
有機シラン化合物の加水分解生成物（ｂ２）が、下記一般式（Ｉ）で表される単量体の加水分解生成物である請求項１〜４の何れか一項記載の活性エネルギー線硬化性組成物。
【化１】
2003292550.tif 000001
［式（Ｉ）中、Ｘはメタクリロイルオキシ基、アクリロイルオキシ基、スチリル基またはビニル基を、Ｒ１は直接結合もしくは炭素数１〜８の直鎖型または分岐型アルキレン基を、Ｒ２、Ｒ３は炭素数１〜８の直鎖型または分岐型アルキル基を、ａは１〜３の整数を、ｂは０〜２の整数を示し、ａ＋ｂは１〜３である。］
【請求項６】
分子内に少なくとも３個の（メタ）アクリロイル基を含有する、化合物（Ａ）以外の化合物（Ｃ）を更に含有する請求項１〜５の何れか一項記載の活性エネルギー線硬化性組成物。
【請求項７】
請求項１記載の活性エネルギー線硬化性組成物を硬化させて得た硬化被膜を有する物品。
【手続補正２】
【補正対象書類名】明細書
【補正対象項目名】００３１
【補正方法】変更
【補正の内容】
【００３１】
［式（Ｉ）中、Ｘはメタクリロイルオキシ基、アクリロイルオキシ基、スチリル基またはビニル基を、Ｒ１は直接結合もしくは炭素数１〜８の直鎖型または分岐型アルキレン基を、Ｒ２、Ｒ３は炭素数１〜８の直鎖型または分岐型アルキル基を、ａは１〜３の整数を、ｂは０〜２の整数を示し、ａ＋ｂは１〜３である。］で表される単量体の加水分解生成物である。